(57)【特許請求の範囲】
【請求項１】
平型電線が接続可能なコネクタにおいて、
基部から前方に伸びる第１のビームと、前記基部から前方に伸び前記第１のビームの下方に位置する第２のビームとを有する端子であって、前記第２のビームの下面に、当該第２のビームの下方に配置される前記平型電線を押すための押圧部が形成された端子と、
前記第１のビームと前記第２のビームとの間に配置されるカムであって、前記第２のビームを押し下げる押圧位置と、前記第２のビームに対する押圧を解除する解除位置との間で回転可能なカムを有するアクチュエータと、を備え、
前記第２のビームの上面には、斜め後方且つ上方に伸び、少なくとも一部が前記押圧部よりも後方に位置する傾斜面が形成され、
前記押圧位置に配置された前記カムは、前記傾斜面の前記少なくとも一部を押圧する、
ことを特徴とするコネクタ。
【請求項２】
請求項１に記載のコネクタにおいて、
前記第２のビームには、前記第２のビームの上面から斜め上方且つ後方に突出する凸部が形成され、
前記傾斜面は前記凸部の上面に形成されている、
ことを特徴とするコネクタ。
【請求項３】
請求項１に記載のコネクタにおいて、
前記傾斜面は、前記押圧部の最下点よりも後方の位置から斜め後方且つ上方に伸びている、
ことを特徴とするコネクタ。
【請求項４】
請求項１に記載のコネクタにおいて、
前記カムが前記解除位置に配置されているときに、前記アクチュエータの最前面は前記端子の前端より前方に位置している、
ことを特徴とするコネクタ。
【発明の詳細な説明】
【技術分野】
【０００１】
本発明は、平型電線が接続可能なコネクタに関し、特に、端子と平型電線の導体との接触安定性を向上する技術に関する。
【背景技術】
【０００２】
従来、挿入された平型電線をコネクタに対してロックするアクチュエータが、コネクタの前部に配置されたコネクタがある。特許文献１に開示されるコネクタでは、各端子は、前方に伸びる３つのビーム（すなわち、上ビーム、下ビーム、及び上ビームと下ビームとの間に配置される中央ビーム）を有している。アクチュエータに形成されたカムは、上ビームと中央ビームとの間に配置され、中央ビームを下方に押圧する位置と、中央ビームの押圧を解除する位置との間で回転可能となっている。中央ビームの下面には、下方に突出する押圧部が形成されている。中央ビームがカムによって押し下げられたとき、中央ビームの押圧部が平型電線を下ビームに押し付ける。その結果、端子と平型電線とが電気的に接続する。
【０００３】
特許文献１に開示されるコネクタでは、アクチュエータのカムは、中央ビームの押圧部から後方に離れた位置で、当該中央ビームを下方に押圧している。このような構造によれば、カムによって中央ビームが押し下げられ、その押圧部が平型電線に当った後、カムが中央ビームに加える力によって押圧部まわりのモーメントが生じる。その結果、押圧部を支点として、中央ビームが下方に膨らむように弾性変形する。これによって、端子と平型電線との接触安定性が向上する。
【先行技術文献】
【特許文献】
【０００４】
【特許文献１】特開２００２−９３５０４号公報
【発明の概要】
【発明が解決しようとする課題】
【０００５】
押圧部を支点とする中央ビームの弾性変形量を増し、端子と平型電線との接触安定性を向上するためには、中央ビームの押圧部と、カムが押圧する中央ビーム上の位置との間の距離を拡大することが望ましい。しかしながら、カムの位置の選択にあたっては、他の部材との位置関係をも考慮する必要があるため、押圧部の位置から後方に大きく離れた位置にカムを配置することが難しい場合がある。
【０００６】
本発明は、上記課題に鑑みてなされたものであって、その目的は、前後方向におけるカムの位置と、ビームに形成された押圧部の位置との差の拡大を抑制しながら、ビームの弾性変形量を増し、平型電線と端子との接触安定性を向上できるコネクタを提供することにある。
【課題を解決するための手段】
【０００７】
上記課題を解決するために、本発明に係るコネクタは、基部から前方に伸びる第１のビームと、前記基部から前方に伸び前記第１のビームの下方に位置する第２のビームとを有する端子を有する。前記第２のビームの下面には、当該第２のビームの下方に配置される前記平型電線を押すための押圧部が形成されている。また、前記コネクタはアクチュエータを有し、前記アクチュエータは、前記第１のビームと前記第２のビームとの間に配置されるカムであって、前記第２のビームを押し下げる押圧位置と、前記第２のビームに対する押圧を解除する解除位置との間で回転可能なカムを有する。前記第２のビームの上面には、斜め後方且つ上方に伸び、少なくとも一部が前記押圧部よりも後方に位置する傾斜面が形成されている。前記押圧位置に配置された前記カムは、前記傾斜面の前記少なくとも一部を押圧する。
【０００８】
本発明に係るコネクタによれば、前後方向におけるカムの位置と、ビームに形成された押圧部の位置との差の拡大を抑制しながら、カムが押圧する中央ビーム上の位置と、押圧部との間の距離を増すことができる。そのため、カムが中央ビームを押圧することによって生じる押圧部まわりのモーメントを増すことができる。その結果、ビームの弾性変形量を増し、平型電線と端子との接触安定性を向上できる。
【０００９】
本発明の一態様では、前記第２のビームには、前記第２のビームの上面から斜め上方且つ後方に突出する凸部が形成されてもよい。そして、前記傾斜面は前記凸部の上面に形成されてもよい。この態様によれば、第２のビームが弾性変形し易くなる。つまり、第２のビームの上面に傾斜面を形成するために、第２のビームを部分的に太くすると、それによって第２のビームの剛性が高まり、第２のビームが弾性変形し難くなる。この態様によれば、凸部は、斜め後方且つ上方に突出し、この凸部に傾斜面が形成されているので、第２のビームが部分的に太くなることを抑えることができ、第２のビームが弾性変形し易くなる。
【００１０】
また、本発明の他の態様では、前記傾斜面は、前記押圧部の最下点よりも後方の位置から斜め後方且つ上方に伸びてもよい。この態様によれば、押圧部の最下点と、傾斜面上に配置されるカムとの間に十分な距離を確保し易くなる。
【００１１】
また、本発明の他の態様では、前記カムが前記解除位置に配置されているときに、前記アクチュエータの最前面は前記端子の前端より前方に位置してもよい。この態様によれば、アクチュエータによって端子の前端を保護できる。
【図面の簡単な説明】
【００１２】
【図１】本発明の実施形態に係るコネクタの斜視図である。
【図２】図１に示すＩＩ−ＩＩ線での断面図であり、同図には上記コネクタが有する後接続端子が示されている。
【図３】図２と同じ切断面で得られる上記コネクタの断面図であり、同図にはコネクタが有するアクチュエータが前方に倒された時の後接続端子が示されている。
【図４】図３の拡大図であり、同図には後接続端子が有する中央ビームの前部、及びアクチュエータに形成されたカムが示されている。
【図５】図１に示すＶ−Ｖ線での断面図であり、同図には上記コネクタが有する前接続端子が示されている。
【図６】図５と同じ切断面で得られるコネクタの断面図であり、同図にはアクチュエータが前方に倒された時の前接続端子が示されている。
【図７】上記コネクタによる効果を説明するための図である。同図（ａ）は上記コネクタが有する中央ビームとカムを模式的に示し、同図（ｂ）は従来のコネクタが有する中央ビームとカムとを模式的に示している。
【発明を実施するための形態】
【００１３】
以下、本発明の一実施形態について図面を参照しながら説明する。図１は本発明の実施形態の例であるコネクタ１の斜視図である。図２は図１に示すＩＩ−ＩＩ線（コネクタ１が有する後接続端子５を通る切断線）での断面図である。図３は、図２と同じ切断面で得られるコネクタ１の断面図であり、同図にはコネクタ１が有するアクチュエータ３が前方に倒された時の後接続端子５が示されている。図４は図３の拡大図であり、同図には後接続端子５が有する中央ビーム５３の前部が示されている。図５は図１に示すＶ−Ｖ線（コネクタ１が有する前接続端子６を通る切断線）での断面図である。図６は、図５と同じ切断面で得られるコネクタ１の断面図であり、同図にはアクチュエータ３が前方に倒された時の前接続端子６が示されている。
【００１４】
コネクタ１は、ＦＰＣ（Ｆｌｅｘｉｂｌｅ  Ｐｒｉｎｔｅｄ  Ｃｉｒｃｕｉｔｓ）やＦＦＣ（Ｆｌｅｘｉｂｌｅ  Ｆｌａｔ  Ｃａｂｌｅ）などの平型電線１００が接続可能なコネクタである（図３及び図６参照）。平型電線１００の表面には、当該平型電線１００の長さ方向に伸びる複数の導体路（不図示）が形成されている。図１に示すように、コネクタ１は、各導体路と電気的に接続する複数の端子５，６を有している。複数の端子５，６は左右方向（Ｘ１−Ｘ２の示す方向、平型電線１００の幅方向）に並んでいる。この例では、コネクタ１は、後接続端子５と前接続端子６とを有している。後接続端子５と前接続端子６は交互に配置されている。また、コネクタ１は、後接続端子５と前接続端子６とを保持するハウジング２を有している。さらに、コネクタ１は、コネクタ１に挿入された平型電線１００をコネクタ１に対してロックするためのアクチュエータ３を有している。コネクタ１は、所謂フロントロックタイプのコネクタであり、アクチュエータ３はコネクタ１の前部に配置されている。
【００１５】
図２に示すように、後接続端子５は、コネクタ１の後部に配置される基部５１を有している。基部５１の最後部の下端には、コネクタ１の使用時にコネクタ１が実装される回路基板（不図示）に形成された導体に半田付けされる接続部５１ａが形成されている。また、後接続端子５は、基部５１から前方（Ｙ１に示す方向、平型電線１００の挿入方向とは反対方向）に伸びる上ビーム５２（請求項における第１のビーム）と、基部５１から前方に伸びるとともに上ビーム５２の下方に位置する中央ビーム５３（請求項における第２のビーム）とを有している。さらに、後接続端子５は下ビーム５４を有している。下ビーム５４は、基部５１から前方に伸びるとともに中央ビーム５３の下方に位置している。そのため、中央ビーム５３は上ビーム５２と下ビーム５４との間に位置している。
【００１６】
図３に示すように、コネクタ１の使用時には、中央ビーム５３と下ビーム５４との間に前方から平型電線１００が挿入され、挿入された平型電線１００は中央ビーム５３の下方に配置される。中央ビーム５３の下面には、下方に突出する押圧部５３ａが形成されている。この例では、押圧部５３ａは中央ビーム５３の前端に形成されている。後述するように、アクチュエータ３は中央ビーム５３を押し下げるためのカム３１を有している。中央ビーム５３がカム３１によって押し下げられることによって、押圧部５３ａの最下点は平型電線１００を下ビーム５４に押し付ける。これによって、後接続端子５と平型電線１００に形成された導体路とが電気的に接続する。この例では、平型電線１００の上面に形成されているため、押圧部５３ａが導体路に接触する。なお、平型電線１００の下面に導体路が形成されてもよい。この場合、下ビーム５４が平型電線１００の導体路に接触する。
【００１７】
図５に示すように、前接続端子６は、コネクタ１の後部に配置される基部６１を有している。また、前接続端子６は、基部６１の上部から前方の伸びる上ビーム６２と、基部６１の下部から前方に伸びる下ビーム６４とを有している。さらに、前接続端子６は、基部６１から前方の伸びるとともに、上ビーム６２と下ビーム６４との間に配置される中央ビーム６３を有している。この例では、中央ビーム６３は、基部６１の下部から上方の伸びた後に屈曲し、前方に伸びている。前接続端子６では、下ビーム６４の前端に接続部６４ａが形成されている。コネクタ１の使用時には、接続部６４ａは、コネクタ１が実装される回路基板に形成された導体に半田付けされる。
【００１８】
図６に示すように、コネクタ１の使用時には、中央ビーム６３と下ビーム６４との間に前方から平型電線１００が挿入される。中央ビーム６３の下面には、下方に突出する押圧部６３ａが形成されている。押圧部６３ａは中央ビーム６３の中途部に位置している。上述したように、後接続端子５では、押圧部５３ａは中央ビーム５３の前端に形成されている。そのため、押圧部５３ａと押圧部６３ａは、前後方向にずれて位置している。
【００１９】
後述するように、アクチュエータ３は中央ビーム６３を押し下げるためのカム３２を有している。中央ビーム６３がカム３２によって押し下げられることによって、押圧部６３ａは平型電線１００を下ビーム６４に押し付ける。これによって、前接続端子６と平型電線１００に形成された導体路とが電気的に接続する。この例では、平型電線１００の上面に形成されているため、押圧部６３ａが導体路に接触する。
【００２０】
アクチュエータ３には、左右方向に並ぶ複数の溝３３ａが形成されている。各溝３３ａに端子５，６の上ビーム５２，６２の前端が嵌っている。上述したように、アクチュエータ３は、端子５，６の中央ビーム５３，６３を押し下げるためのカム３１，３２を有している。カム３１，３２は溝３３ａの内側に形成され、左右方向において交互に並んでいる。図２に示すように、カム３１は上ビーム５２と中央ビーム５３の間に位置している。図５に示すように、カム３２は上ビーム６２と中央ビーム６３との間に位置している。
【００２１】
カム３１，３２は、中央ビーム５３，６３を押し下げる位置（図３及び図６で示すカムの位置、以下において押圧位置とする）と、中央ビーム５３，６３に対する押圧を解除する位置（図２及び図５で示すカムの位置、以下において解除位置とする）との間で回転可能となっている。すなわち、アクチュエータ３は、カム３１，３２を中心にして前方或いは後方に回転可能となっている。アクチュエータ３の回転によって、カム３１，３２は押圧位置と解除位置との間で移動する。図３及び図６に示すように、アクチュエータ３が前方に回転し、端子５，６の前方に配置されると、カム３１，３２は押圧位置に配置される。図２及び図５に示すように、アクチュエータ３が後方に回転し、コネクタ１に対して立つように配置されると、カム３１，３２は解除位置に配置される。
【００２２】
図２に示すように、後接続端子５では、上ビーム５２の前端部に、カム係合部５２ａが形成されている。カム係合部５２ａはカム３１に引っ掛かるように鉤状に形成されている。換言すると、カム係合部５２ａの下面には凹部が形成され、カム３１の上部はこの凹部の内側に配置されている。カム係合部５２ａは、カム３１に引っ掛かることによって、アクチュエータ３のコネクタ１からの分離を規制している。
【００２３】
図２及び図５に示すように、アクチュエータ３は最前面３３ｂを有している。最前面３３ｂは、カム３１，３２が解除位置に配置されているときに、すなわち、アクチュエータ３が立つように配置されているときに、上ビーム５２，６２の前端と中央ビーム５３，６３の前端よりも前方に位置する。詳細には、アクチュエータ３は、互いに隣接する２つの溝３３ａを区画する壁部３３を有している。この例では、壁部３３の前面が最前面３３ｂとして機能している。最前面３３ｂは、上ビーム５２，６２と中央ビーム５３，６３の前方において、上下方向に伸びるように形成され、上ビーム５２，６２の前端と中央ビーム５３，６３の前端とを保護している。すなわち、最前面３３ｂは、平型電線１００の挿入時に、平型電線１００の先端が、上ビーム５２，６２の前端、或いは中央ビーム５３，６３の前端に衝突することを防止している。
【００２４】
図２に示すように、中央ビーム５３の上面の最前部には傾斜面５５ａが形成されている。傾斜面５５ａは、斜め後方且つ上方に伸びるよう形成されている。傾斜面５５ａは、押圧部５３ａよりも後方に位置している。この例では、傾斜面５５ａは、押圧部５３ａの最下点（平型電線１００の表面に当る部分）よりも後方の位置から斜め後方且つ上方に伸びている。すなわち、図４に示すように、傾斜面５５ａの前端（斜め上方且つ後方への延伸が始まる部分）５５ｂは、押圧部５３ａの最下点よりも後方に位置している。
【００２５】
図２に示すように、中央ビーム５３の上面には凸部５５が形成されている。凸部５５は、中央ビーム５３の上面から斜め後方且つ上方に突出するように形成され、当該凸部５５の後部の下面は中央ビーム５３の上面から上方に離れて位置している。図４に示すように、中央ビーム５３の上面から凸部５５の後部の下面までの距離Ｇは、後方に行くにしたがって徐々に大きくなっている。換言すると、凸部５５の後部と中央ビーム５３の上面との間には凹部５５ｃが形成され、凹部５５ｃの上下方向の幅Ｇは後方に行くにしたがって大きくなっている。この凸部５５の上面が傾斜面５５ａとして機能している。傾斜面５５ａは、カム係合部５２ａの下方に位置し、傾斜面５５ａとカム係合部５２ａとの間にカム３１が配置されている。なお、凸部５５の後端５５ｄは、前接続端子６の押圧部６３ａよりも前方に位置している。また、凸部５５の後端５５ｄは、カム係合部５２ａの後端５２ｂよりも後方に位置している。
【００２６】
図４に示すように、中央ビーム５３の上面における傾斜面５５ａより前の部分５３ｂは、前方に伸びると同時に、上方に傾斜している。これによって、カム３１が中央ビーム５３とカム係合部５２ａとの間から前方に抜けにくくなっている。
【００２７】
図４に示すように、押圧位置に配置されたカム３１は、傾斜面５５ａの後部を押し下げる。詳細には、カム３１は、中央ビーム５３の上面にあたる下当接面３１ｂを有している。カム３１が解除位置に配置されている時には、下当接面３１ｂはカム３１の上部よりも前方に位置している（図２参照）。上述したように、カム３１の上部はカム係合部５２ａに引っ掛かっている。そのため、カム３１が解除位置から押圧位置に向かって回転するときには、カム３１は当該カム３１の上部を中心に、上ビーム５２と中央ビーム５３とを押し広げるようにして回転する。この時、下当接面３１ｂは、傾斜面５５ａ上を後方に向かってスライドする。そして、カム３１が押圧位置に到達すると、下当接面３１ｂは傾斜面５５ａの後部上に位置し、当該傾斜面５５ａの後部を押圧する。上述したように、傾斜面５５ａは押圧部５３ａよりも後方に位置している。そのため、傾斜面５５ａ上の、カム３１によって押圧される位置（以下、被押圧位置）Ｐは、押圧部５３ａの最下点から後方に離れた位置となっている。
【００２８】
図４に示すように、カム３１から傾斜面５５ａに作用する力Ｆは、傾斜面５５ａに対して垂直となる。すなわち、カム３１から傾斜面５５ａに作用する力Ｆの向きは、斜め下方且つ後方に向いている。また、傾斜面５５ａは押圧部５３ａよりも後方に位置しているため、カム３１から傾斜面５５ａに作用する力Ｆは、概ね、押圧部５３ａの最下点を中心とする周方向に向いている。
【００２９】
中央ビーム５３がカム３１によって押し下げられ、押圧部５３ａの最下点が平型電線１００に当った時、力Ｆは押圧部５３ａの最下点まわりのモーメントを生じさせる。その結果、中央ビーム５３の前部は、押圧部５３ａの最下点を支点として弾性変形する。
【００３０】
上述したように、凸部５５は斜め後方且つ上方に伸びるように形成され、その後部は中央ビーム５３の上面から上方に離れて位置している。すなわち、凸部５５の後部と、中央ビーム５３の上面との間には凹部５５ｃが形成されている。そのため、中央ビーム５３の前部の弾性変形が生じ易くなっている。つまり、このような凹部５５ｃが中央ビーム５３に形成されていない場合には、中央ビーム５３の前部が太くなるため、その剛性が高くなる。その結果、中央ビーム５３が弾性変形し難くなる。この例では、このような凹部５５ｃが形成されているため、中央ビーム５３の前部の剛性が低くなり、中央ビーム５３の前部が弾性変形し易くなっている。なお、図４に示すように、凹部５５ｃは、被押圧位置Ｐを通り、且つ傾斜面５５ａに垂直な直線Ｌを越えて凹んでいる。そのため、カム３１が傾斜面５５ａを押したときには、凸部５５の後部も僅かに弾性変形する。
【００３１】
図５に示すように、前接続端子６では、中央ビーム６３の最前部は、略Ｕ字状に形成されている。詳細には、中央ビーム６３は、前方の伸びる第１延伸部６３ｂを有している。中央ビーム６３は、第１延伸部６３ｂの前端で略Ｕ字状に折り返されているため、第１延伸部６３ｂから後方に伸びる第２延伸部６３ｃを有している。第２延伸部６３ｃは第１延伸部６３ｂの上方に位置している。カム３２は第２延伸部６３ｃと上ビーム６２との間に配置されている。
【００３２】
アクチュエータ３が前方に倒れるように操作されることによって、カム３２は解除位置から押圧位置に回転する。押圧位置に配置されたカム３２は、第２延伸部６３ｃの先端６３ｄ側を押し下げる。これによって、第１延伸部６３ｂは下方に傾き、その結果、第１延伸部６３ｂの途中に形成された押圧部６３ａが平型電線１００を下ビーム６４に押し付ける。なお、カム３２が、第２延伸部６３ｃの先端６３ｄ側を押し下げる際、第２延伸部６３ｃも弾性変形する。
【００３３】
以上説明したように、コネクタ１では、後接続端子５は、基部５１から前方に伸びる上ビーム５２と、基部５１から前方に伸び上ビーム５２の下方に位置する中央ビーム５３とを有している。中央ビーム５３の下面には、平型電線１００を押すための押圧部５３ａが形成されている。また、アクチュエータ３は、上ビーム５２と中央ビーム５３との間に配置されるカム３１を有している。このカム３１は、中央ビーム５３を押し下げる押圧位置と、中央ビーム５３に対する押圧を解除する解除位置との間で回転可能となっている。中央ビーム５３の上面には傾斜面５５ａが形成されている。この傾斜面５５ａは、斜め後方且つ上方に斜めに伸び、当該傾斜面５５ａの後部は押圧部５３ａよりも後方に位置している。押圧位置に配置されたカム３１は、傾斜面５５ａの後部を押圧している。
【００３４】
このようなコネクタ１によれば、カム３１が押圧する、中央ビーム５３上の位置である被押圧位置Ｐと、押圧部５３ａとの間の距離Ｄ１（図４参照）を増すとともに、前後方向におけるカム３１の位置と、押圧部５３ａの位置との差Ｄ２（図４参照）の拡大を抑制できる。すなわち、傾斜面５５ａが傾斜しているので、差Ｄ２を増すことなく、距離Ｄ１を拡大できる。このように、押圧部５３ａと被押圧位置Ｐとの距離Ｄ１を拡大できるため、中央ビーム５３が受ける力Ｆが生じさせる、押圧部５３ａの最下点まわりのモーメントを大きくできる。その結果、中央ビーム５３の弾性変形量を増し、押圧部５３ａと平型電線１００との接触安定性を向上できる。
【００３５】
図７は、コネクタ１による効果を説明するための図である。同図（ａ）では、中央ビーム５３及びカム３１が模式的に描かれている。同図（ｂ）は、従来のコネクタが有する中央ビーム５３Ａ及びカム３１Ａを示している。中央ビーム５３Ａには、上述した傾斜面５５ａや凸部５５は形成されておらず、中央ビーム５３Ａの上面は水平に形成されている。そのため、押圧位置に配置されたカム３１Ａは、中央ビーム５３Ａを真っ直ぐ下方に押す。また、同図（ｂ）では、コネクタ１と同様に、カム３１Ａは、押圧部５３ａの最下点から後方に差Ｄ２だけ離れて配置されている。カム３１Ａが、コネクタ１のカム３１と同様に、中央ビーム５３Ａを力Ｆで押し下げるとき、押圧部５３ａの最下点まわりのモーメントは、力Ｆと距離Ｄ３（押圧部５３ａの最下点と、カム３１Ａが押圧する位置との間の距離）の積となっている。
【００３６】
一方、コネクタ１では、上述したように、カム３１は、押圧部５３ａの最下点から距離Ｄ１だけ離れた傾斜面５５ａ上の位置を押圧する。そのため、押圧部５３ａの最下点まわりのモーメントは、力Ｆと距離Ｄ１との積となる。すなわち、このモーメントは、押圧部５３ａの最下点から距離Ｄ１だけ離れた、中央ビーム５３上の位置Ｐ２を力Ｆで押した場合に生じるモーメントと等しくなる。距離Ｄ１は距離Ｄ３より大きいため、コネクタ１では、同図（ｂ）で示されるコネクタに比べて、大きなモーメントが押圧部５３ａの最下点まわりに発生する。その結果、中央ビーム５３Ａに比べて、中央ビーム５３の弾性変形量は増し、押圧部５３ａと平型電線１００との接触安定性が向上する。
【００３７】
また、同図（ｂ）に示されるように、カムが中央ビームを真っ直ぐ下方に押圧する構造において、コネクタ１と同様の弾性変形量を得るためには、カムの位置を、押圧部５３ａの最下点から差Ｄ２よりも大きく後方に離す必要が生じる。換言すると、コネクタ１では、同図（ｂ）に示される構造に比べて、カム３１を前方に配置し易くなっている。その結果、アクチュエータ３の最前面３３ｂを後接続端子５の前端及び前接続端子６の前端より前方に位置させる構造が設計し易くなっている。
【００３８】
なお、本発明は、以上説明したコネクタ１に限られず、種々の変更が可能である。例えば、以上の説明では、傾斜面５５ａの全体が押圧部５３ａの最下点より後方に位置していた。しかしながら、傾斜面５５ａの前部は押圧部５３ａの最下点より前方に位置し、傾斜面５５ａの後部のみが押圧部５３ａよりも後方に位置してもよい。
【００３９】
また、以上の説明では、後接続端子５は、下ビーム５４を有し、平型電線１００は中央ビーム５３と下ビーム５４との間に配置されていた。しかしながら、後接続端子５には下ビーム５４は設けられていなくてもよい。この場合、平型電線１００は、ハウジング２の底面上に配置される。
【００４０】
また、以上の説明では、凸部５５は、中央ビーム５３の上面から斜め後方且つ上方に突出し、凸部５５の後部と中央ビーム５３の上面との間に凹部５５ｃが形成されていた。しかしながら、このような凹部５５ｃは形成されていなくてもよい。
【符号の説明】
【００４１】
１  コネクタ、２  ハウジング、３  アクチュエータ、５  後接続端子、６  前接続端子、３１  カム、３１ｂ  下当接面、３２  カム、３３  壁部、３３ａ  溝、３３ｂ  最前面、５１  基部、５１ａ  接続部、５２  上ビーム、５２ａ  カム係合部、５２ｂ  後端、５３  中央ビーム、５３ａ  押圧部、５４  下ビーム、５５  凸部、５５ａ  傾斜面、５５ｃ  凹部、５５ｄ  後端、６１  基部、６２  上ビーム、６３  中央ビーム、６３ａ  押圧部、６３ｂ  第１延伸部、６３ｃ  第２延伸部、６３ｄ  先端、６４  下ビーム、６４ａ  接続部、１００  平型電線、Ｄ１  押圧部の最下点とカムが押圧する位置との間の距離、Ｄ２  カムと押圧部の最下点との前後方向における位置の差。
【図１】
0005391104.tif 000002
【図２】
0005391104.tif 000003
【図３】
0005391104.tif 000004
【図４】
0005391104.tif 000005
【図５】
0005391104.tif 000006
【図６】
0005391104.tif 000007
【図７】
0005391104.tif 000008